(57)【特許請求の範囲】
【請求項１】
それぞれ操作スイッチ及び各別に抵抗値の異なる検出抵抗からなる複数個の並列接続回路と終端抵抗とがそれぞれ直列接続された複数本の走査信号線を有し、前記複数本の走査信号線の前記並列接続回路と前記終端抵抗との接続点及び共通信号出力点間に接続された複数個のバッファダイオードを有するスイッチ検出部と、前記複数本の走査信号線の一端にそれぞれ異なるタイミングで走査信号を供給する走査信号発生部と、アナログ−デジタル変換部を内蔵した制御検出部と、前記共通信号出力点を共通信号出力線を介して前記アナログ−デジタル変換部の入力に接続する接続手段とを備え、前記複数本の走査信号線の中の１本は、基準検出抵抗と前記終端抵抗との直列回路からなる基準走査信号線とし、前記制御検出部は、前記基準走査信号線に前記走査信号が供給された際に前記アナログ−デジタル変換部に入力された電圧レベルを基準レベルに設定し、それぞれ異なるタイミングで前記アナログ−デジタル変換部に入力された他の走査信号線からの各電圧レベルを前記基準レベルと比較し、その比較電圧レベルを用いて前記各操作スイッチの操作状態及び非操作状態を検出することを特徴とするスイッチ入力検出装置。
【請求項２】
前記基準走査信号線に用いられる基準検出抵抗は、他の走査信号線に用いられる各検出抵抗の組み合わせ抵抗値によって得られない抵抗値のものであることを特徴とする請求項１に記載のスイッチ入力検出装置。
【請求項３】
前記走査信号発生部は、電源回路内に前記制御検出部からのトリガ信号によって選択的にオンになる制御スイッチ回路が接続されていることを特徴とする請求項１または２に記載のスイッチ入力検出装置。
【発明の詳細な説明】
【０００１】
【発明の属する技術分野】
本発明は、複数個の操作スイッチの中の操作されたスイッチを検出するスイッチ入力検出装置に係わり、特に、操作されたスイッチの検出をアナログ電圧の形式で検出することにより、信号出力線の数を低減し、かつ、ノイズの影響を受け難くしたスイッチ入力検出装置に関する。
【０００２】
【従来の技術】
従来、複数個の操作スイッチの中の操作されたスイッチを電気的に検出するスイッチ入力検出装置としては、各操作スイッチをマトリクス状に配置したキーマトリクス方式を用いたもの、または、各操作スイッチを抵抗分圧器の各分圧抵抗に並列接続した抵抗分圧方式を用いたものが知られている。
【０００３】
ここで、図４は、既知のキーマトリクス方式のスイッチ入力検出装置の一例を示すもので、その要部構成を示す回路図である。
【０００４】
図４に示されるように、このスイッチ入力検出装置は、キーマトリクス部３１と、制御検出部３２とからなっている。この場合、キーマトリクス部３１は、複数本（図示の例では３本）の走査信号線ＳＬ１、ＳＬ２、ＳＬ３と、複数本（図示の例では４本）の入力信号線ＩＬ１、ＩＬ２、ＩＬ３、ＩＬ４と、複数本の走査信号線ＳＬ１、ＳＬ２、ＳＬ３と複数本の入力信号線ＩＬ１、ＩＬ２、ＩＬ３、ＩＬ４の交点部分にそれぞれ接続された複数個（図示の例では１２個）の操作スイッチＳ１１、Ｓ１２、Ｓ１３、Ｓ１４、Ｓ２１、Ｓ２２、Ｓ２３、Ｓ２４、Ｓ３１、Ｓ３２、Ｓ３３、Ｓ３４と、複数本の入力信号線ＩＬ１、ＩＬ２、ＩＬ３、ＩＬ４と接地点との間に接続された複数個（図示の例では４個）の終端抵抗Ｒ１、Ｒ２、Ｒ３、Ｒ４と、各一端が複数個の終端抵抗Ｒ１、Ｒ２、Ｒ３、Ｒ４の非接地側に接続された複数本（図示の例では４本）の出力信号線ＯＬ１、ＯＬ２、ＯＬ３、ＯＬ４とを有している。また、制御検出部３２は、マイクロコンピュータ（ＭＣＵ）からなり、複数（図示の例では３つ）の走査信号出力ポートＴＰ１、ＴＰ２、ＴＰ３と、複数（図示の例では４つ）の信号入力ポートＩＰ１、ＩＰ２、ＩＰ３、ＩＰ４とを有し、複数の走査信号出力ポートＴＰ１、ＴＰ２、ＴＰ３が対応する複数本の走査信号線ＳＬ１、ＳＬ２、ＳＬ３に接続され、複数の信号入力ポートＩＰ１、ＩＰ２、ＩＰ３、ＩＰ４が対応する複数本の出力信号線ＯＬ１、ＯＬ２、ＯＬ３、ＯＬ４の各他端に接続される。なお、制御検出部３２は、走査信号出力ポートＴＰ１から走査信号線ＳＬ１に第１走査信号ＳＣ１を出力し、走査信号出力ポートＴＰ２から走査信号線ＳＬ２に第２走査信号ＳＣ２を出力し、走査信号出力ポートＴＰ３から走査信号線ＳＬ３に第３走査信号ＳＣ３を出力する。この場合、第１乃至第３走査信号ＳＣ１乃至ＳＣ３の出力タイミングは、第１走査信号ＳＣ１の出力が終了したときに第２走査信号ＳＣ２が出力され、第２走査信号ＳＣ２出力が終了したときに第３走査信号ＳＣ３が出力される。
【０００５】
前記構成に係わるこのキーマトリクス方式のスイッチ入力検出装置は、次のように動作する。
【０００６】
いま、全部の操作スイッチＳ１１乃至Ｓ１４、Ｓ２１乃至Ｓ２４、Ｓ３１乃至Ｓ３４が操作されず、それらの接点が開いている場合、第１乃至第３走査信号線ＳＬ１乃至ＳＬ３に供給された第１乃至第３走査信号ＳＣ１乃至ＳＣ３は、いずれも第１乃至第４入力信号線ＩＬ１乃至ＩＬ４に伝送されないので、第１乃至第４出力信号線ＯＬ１乃至ＯＬ４にそれぞれ論理０（接地電位）が出力される。制御検出部３２は、第１乃至第４信号入力ポートＩＰ１乃至ＩＰ４のそれぞれで論理０を受けたことにより、全部の操作スイッチＳ１１乃至Ｓ１４、Ｓ２１乃至Ｓ２４、Ｓ３１乃至Ｓ３４が非操作状態であることを検出する。
【０００７】
次に、１つの操作スイッチ、例えば操作スイッチＳ２３だけが操作され、操作スイッチＳ２３の接点が閉じている場合、第２走査信号線ＳＬ２に供給された第２走査信号ＳＣ２が操作スイッチＳ２３の接点を通して第３入力信号線ＩＬ３に伝送されるので、第３出力信号線ＯＬ３に論理１（走査信号電位）が出力され、第１、第２、第４出力信号線ＯＬ１、ＯＬ２、ＯＬ４に前の場合と同様に論理０が出力される。制御検出部３２は、第２走査信号ＳＣ２の出力タイミング時に第３信号入力ポートＩＰ３で論理１を受けたことにより、操作スイッチＳ２３だけが操作され、その他の操作スイッチが非操作状態であることを検出する。
【０００８】
さらに、操作スイッチＳ２３が操作されているとき、それ以外の操作スイッチ、例えば操作スイッチＳ３２が操作され、操作スイッチＳ２３、Ｓ３２の接点が閉じている場合、第２走査信号線ＳＬ２に供給された第２走査信号ＳＣ２が操作スイッチＳ２３の接点を通して第３入力信号線ＩＬ３に伝送されるとともに、第３走査信号線ＳＬ３に供給された第３走査信号ＳＣ３が操作スイッチＳ３２の接点を通して第２入力信号線ＩＬ２に伝送されるので、第３出力信号線ＯＬ３及び第２出力信号線ＯＬ２に論理１が出力され、第１及び第４出力信号線ＯＬ１、ＯＬ４に前の場合と同様に論理０が出力される。制御検出部３２は、第２走査信号ＳＣ２の出力タイミング時に第３信号入力ポートＩＰ３で論理１を受け、また、第３走査信号ＳＣ３の出力タイミング時に第２信号入力ポートＩＰ２で論理１を受けたことにより、操作スイッチＳ２３、Ｓ３２だけが操作され、その他の操作スイッチが非操作状態であることを検出する。
【０００９】
同じように、他の１つ以上の操作スイッチが操作された場合においても、制御検出部３２は、第１乃至第３走査信号ＳＣ１乃至ＳＣ３の出力タイミングと、第１乃至第４信号入力ポートＩＰ１乃至ＩＰ４で受ける論理状態とによって、操作スイッチの操作状態及び非操作状態を検出する。
【００１０】
また、図５は、既知の抵抗分圧方式のスイッチ入力検出装置の一例を示すもので、その要部構成を示す回路図である。
【００１１】
図５に示されるように、このスイッチ入力検出装置は、抵抗分圧部４１と、制御検出部４２とからなっている。この場合、抵抗分圧部４１は、電源端子Ｂ＋と接地点との間に直列接続された抵抗値が等しい複数個（図示の例では１０個）の抵抗Ｒ１、Ｒ２、Ｒ３、Ｒ４、Ｒ５、Ｒ６、Ｒ７、Ｒ８、Ｒ９、Ｒ１０と、複数個の抵抗Ｒ１乃至Ｒ１０の各接続点と共通出力端Ｏとの間にそれぞれ接続された複数個（図示の例では９個）の操作スイッチＳ１、Ｓ２、Ｓ３、Ｓ４、Ｓ５、Ｓ６、Ｓ７、Ｓ８、Ｓ９とを有している。また、制御検出部４２は、マイクロコンピュータ（ＭＣＵ）からなり、アナログーデジタル変換部（Ａ／Ｄ）４３と検出抵抗４４を内蔵している。抵抗分圧部４１の共通出力端Ｏは、アナログーデジタル変換部４３の入力に接続され、アナログーデジタル変換部４３の入力は、検出抵抗４４を通して接地点に接続されている。
【００１２】
前記構成に係わるこの抵抗分圧方式のスイッチ入力検出装置は、次のように動作する。
【００１３】
いま、全部の操作スイッチＳ１乃至Ｓ９が操作されず、それらの接点が開いている場合、複数個の抵抗Ｒ１乃至Ｒ１０の分圧電圧が共通出力端Ｏに伝送されないので、共通出力端Ｏは接地電圧になり、この接地電圧がアナログーデジタル変換部４３に供給される。制御検出部４２は、アナログーデジタル変換部４３において供給された接地電圧をアナログーデジタル変換し、得られたデジタル信号から入力電圧が最低電圧であることを算出し、その算出結果から全部の操作スイッチＳ１乃至Ｓ９が非操作状態であることを検出する。
【００１４】
次に、１つの操作スイッチ、例えば操作スイッチＳ５だけが操作され、操作スイッチＳ５の接点が閉じている場合、抵抗Ｒ５と抵抗Ｒ６の接続点に得られた分圧電圧Ｖ５６が操作スイッチＳ５を通して共通出力端Ｏに伝送され、共通出力端Ｏは分圧電圧Ｖ５６になり、この分圧電圧Ｖ５６がアナログーデジタル変換部４３に供給される。制御検出部４２は、アナログーデジタル変換部４３において供給された分圧電圧Ｖ５６をアナログーデジタル変換し、得られたデジタル信号から入力分圧電圧Ｖ５６が中間電圧であることを算出し、その算出結果から操作スイッチＳ５だけが操作され、他の操作スイッチＳ１乃至Ｓ４、Ｓ６乃至Ｓ９が非操作状態であることを検出する。
【００１５】
さらに、別の１つの操作スイッチ、例えばＳ２だけが操作され、操作スイッチＳ２の接点が閉じている場合、抵抗Ｒ２と抵抗Ｒ３の接続点に得られた分圧電圧Ｖ２３が操作スイッチＳ２を通して共通出力端Ｏに伝送され、共通出力端Ｏは分圧電圧Ｖ２３になり、この分圧電圧Ｖ２３がアナログーデジタル変換部４３に供給される。制御検出部４２は、アナログーデジタル変換部４３において供給された分圧電圧Ｖ２３をアナログーデジタル変換し、得られたデジタル信号から入力分圧電圧Ｖ２３が高い方から２番目の電圧であることを算出し、その算出結果から操作スイッチＳ２だけが操作され、他の操作スイッチＳ１、Ｓ３乃至Ｓ９が非操作状態であることを検出する。
【００１６】
同じように、他の操作スイッチが操作された場合においても、制御検出部４２は、アナログーデジタル変換部４３において得られたデジタル信号から入力分圧電圧が高い方から何番目の電圧または低い方から何番目の電圧であるかを算出し、その算出結果から操作状態にある操作スイッチ及び非操作状態にある操作スイッチを検出する。
【００１７】
【発明が解決しようとする課題】
前記既知のキーマトリクス方式のスイッチ入力検出装置は、全部の操作スイッチＳ１１乃至Ｓ１４、Ｓ２１乃至Ｓ２４、Ｓ３１乃至Ｓ３４の中の操作された１つ以上の操作スイッチを、第１乃至第３走査信号ＳＣ１乃至ＳＣ３の出力タイミングと、第１乃至第４出力信号線ＯＬ１乃至ＯＬ４に得られる論理信号の論理状態とから正確に検出することができるという利点があるものの、キーマトリクス部３１を構成する場合に、複数本の走査信号線ＳＬ１乃至ＳＬ３、複数本の信号入力線ＩＬ１乃至ＩＬ４、複数本の信号出力線ＯＬ１乃至ＯＬ４というように多数の信号線が必要になることから、キーマトリクス部３１の構成が複雑になり、しかも、複数本の信号出力線ＯＬ１乃至ＯＬ４に得られる論理信号の論理状態、すなわち論理１と論理０とによって信号判別を行っているため、論理信号にノイズが重畳した際に稀に誤った判別が行われることがある。
【００１８】
また、前記既知の抵抗分圧方式のスイッチ入力検出装置は、複数個の抵抗Ｒ１乃至Ｒ１０からなる１つの抵抗列を有し、かつ、抵抗分圧部４１の共通出力端Ｏと制御検出部４２とを１本の制御線で結べば足りることから、抵抗分圧部４１に多数の信号線を用いる必要がなく、抵抗分圧部４１の構成が簡素化される他に、アナログ的な出力を用いているため、信号にノイズが重畳しても直ちに誤った判別が行われることがないという利点を有しているものの、操作された操作スイッチＳ１乃至Ｓ９を判別する際に、操作された１つの操作スイッチの判別を行うことができるだけで、操作された２つ以上の操作スイッチの判別を行うことができないので、使用用途に制限があり、必ずしも有用性が高いものということができない。
【００１９】
本発明は、このような技術的背景に鑑みてなされたもので、その目的は、使用する信号線の数が多くなく、ノイズの影響を受けずに操作された１つまたはそれ以上の操作スイッチの判別を行うことができるスイッチ入力検出装置を提供することにある。
【００２０】
【課題を解決するための手段】
前記目的を達成するために、本発明によるスイッチ入力検出装置は、それぞれ操作スイッチ及び各別に抵抗値の異なる検出抵抗からなる複数個の並列接続回路と終端抵抗とがそれぞれ直列接続された複数本の走査信号線を有し、複数本の走査信号線の並列接続回路と終端抵抗との接続点及び共通信号出力点間に接続された複数個のバッファダイオードを有するスイッチ検出部と、複数本の走査信号線の一端にそれぞれ異なるタイミングで走査信号を供給する走査信号発生部と、アナログ−デジタル変換部を内蔵した制御検出部と、共通信号出力点を共通信号出力線を介して前記アナログ−デジタル変換部の入力に接続する接続手段とを備え、複数本の走査信号線の中の１本は、基準検出抵抗と終端抵抗との直列回路からなる基準走査信号線とし、制御検出部は、基準走査信号線に走査信号が供給された際にアナログ−デジタル変換部に入力された電圧レベルを基準レベルに設定し、それぞれ異なるタイミングでアナログ−デジタル変換部に入力された他の走査信号線からの各電圧レベルを前記基準レベルと比較し、その比較電圧レベルを用いて各操作スイッチの操作状態及び非操作状態を検出する構成を具備する。
【００２１】
前記構成における基準走査信号線に用いられる基準検出抵抗は、他の走査信号線に用いられる各検出抵抗の組み合わせ抵抗値によって得られない抵抗値のものである。
【００２２】
前記構成における走査信号発生部は、電源回路内に制御検出部からのトリガ信号によって選択的にオンになる制御スイッチ回路が接続されているものである。
【００２３】
前記構成によれば、スイッチ検出部が複数本の走査信号線を備え、複数本の走査信号線のそれぞれが直列接続された複数個の操作スイッチ及び検出抵抗の並列接続回路と１個の終端抵抗とからなり、複数本の走査信号線毎に各並列接続回路の抵抗値をそれぞれ異ならせているもので、複数本の走査信号線への走査信号の供給タイミングによって複数本の走査信号線が選択され、選択された走査信号線の終端抵抗に得られたアナログ電圧の大きさを求めることにより、複数本の走査信号線毎に操作された操作スイッチを検出することができ、その結果、全部の操作スイッチの中から操作された１つまたはそれ以上の操作スイッチを検出することが可能になる。
【００２４】
そして、前記構成によれば、複数本の走査信号線の中の１本を直列接続された基準検出抵抗と終端抵抗とからなる基準走査信号線とし、基準走査信号線が選択されたとき、その終端抵抗に基準電圧を発生させ、他の走査信号線の終端抵抗に得られるアナログ電圧の電圧値を基準電圧と比較し、その比較電圧に基づいた判定を行っているので、アナログ電圧の大きさの判別が容易になる。
【００２５】
また、前記構成によれば、スイッチ検出部の共通信号出力点と制御検出部とを１本の共通信号出力線を用いて接続すれば足りるので、スイッチ検出部で用いられる信号線の数を少なくしてスイッチ検出部の構成を簡素化することができ、その上、１本の共通信号出力線にアナログ出力信号を伝送させているので、アナログ出力信号に対するノイズの影響を少なくすることができる。
【００２６】
【発明の実施の形態】
以下、本発明の実施の形態を図面を参照して説明する。
【００２７】
図１は、本発明によるスイッチ入力検出装置の第１の実施の形態を示すもので、その要部構成を示す回路図である。
【００２８】
図１に示されるように、第１の実施の形態によるスイッチ入力検出装置は、スイッチ検出部１と、走査信号発生部２と、制御検出部３と、制御スイッチ回路４とからなる。また、スイッチ検出部１は、第１乃至第３走査信号線ＳＬ１乃至ＳＬ３と、第１乃至第３バッファダイオードＤ１乃至Ｄ３とを有する。制御検出部３は、マイクロコンピュータ（ＭＣＵ）からなり、アナログーデジタル変換部（Ａ／Ｄ）３Ｃを内蔵している。制御スイッチ回路４は、制御トランジスタ４Ｔを具備している。
【００２９】
スイッチ検出部１において、第１走査信号線ＳＬ１は、一端が走査信号発生部２に、他端が接地点にそれぞれ接続され、一端側から他端側に向かって、操作スイッチＳ１１及び検出抵抗Ｒ１１の並列接続回路、操作スイッチＳ１２及び検出抵抗Ｒ１２の並列接続回路、操作スイッチＳ１３及び検出抵抗Ｒ１３の並列接続回路、操作スイッチＳ１４及び検出抵抗Ｒ１４の並列接続回路、終端抵抗ＲＴ１がそれぞれ直列接続され、各検出抵抗Ｒ１１乃至Ｒ１４はそれぞれ異なる抵抗値のもので構成されている。第２走査信号線ＳＬ２は、一端が走査信号発生部２に、他端が接地点にそれぞれ接続され、一端側から他端側に向かって、操作スイッチＳ２１及び検出抵抗Ｒ２１の並列接続回路、操作スイッチＳ２２及び検出抵抗Ｒ２２の並列接続回路、操作スイッチＳ２３及び検出抵抗Ｒ２３の並列接続回路、操作スイッチＳ２４及び検出抵抗Ｒ２４の並列接続回路、終端抵抗ＲＴ２がそれぞれ直列接続され、各検出抵抗Ｒ２１乃至Ｒ２４はそれぞれ異なる抵抗値のもので構成されている。第３走査信号線ＳＬ３は、一端が走査信号発生部２に、他端が接地点にそれぞれ接続され、一端側から他端側に向かって、操作スイッチＳ３１及び検出抵抗Ｒ３１の並列接続回路、操作スイッチＳ３２及び検出抵抗Ｒ３２の並列接続回路、操作スイッチＳ３３及び検出抵抗Ｒ３３の並列接続回路、操作スイッチＳ３４及び検出抵抗Ｒ３４の並列接続回路、終端抵抗ＲＴ３がそれぞれ直列接続され、各検出抵抗Ｒ３１乃至Ｒ３４は異なる抵抗値のもので構成されている。この場合、各検出抵抗Ｒ１１乃至Ｒ１４、Ｒ２１乃至Ｒ２４、Ｒ３１乃至Ｒ３４の抵抗値は、例えば抵抗Ｒ１１、Ｒ２１、Ｒ３１の抵抗値をｒに選んだ場合、抵抗Ｒ１２、Ｒ２２、Ｒ３２の抵抗値を２ｒに、抵抗Ｒ１３、Ｒ２３、Ｒ３３の抵抗値を４ｒに、抵抗Ｒ１４、Ｒ２４、Ｒ３４の抵抗値を８ｒにそれぞれ選ぶようにする。
【００３０】
同じく、スイッチ検出部１において、第１バッファダイオードＤ１は、アノード側が操作スイッチＳ１４及び検出抵抗Ｒ１４の並列接続回路と終端抵抗ＲＴ１との接続点に、カソード側が共通信号出力点Ｏ１にそれぞれ接続される。第２バッファダイオードＤ２は、アノード側が操作スイッチＳ２４及び検出抵抗Ｒ２４の並列接続回路と終端抵抗ＲＴ２との接続点に、カソード側が共通信号出力点Ｏ１にそれぞれ接続される。第３バッファダイオードＤ３は、アノード側が操作スイッチＳ３４及び検出抵抗Ｒ３４の並列接続回路と終端抵抗ＲＴ３との接続点に、カソード側が共通信号出力点Ｏ１にそれぞれ接続される。
【００３１】
また、制御検出部３において、アナログーデジタル変換部３Ｃは、入力が１本の共通出力信号線ＳＯを通して共通信号出力点Ｏ１に接続される。さらに、制御スイッチ回路４において、制御トランジスタ４Ｔは、コレクタが電源端子Ｂ＋に、エミッタが走査信号発生部２の電源入力端子（記号なし）に、ベースが制御検出部２のトリガ信号出力端子（記号なし）にそれぞれ接続される。
【００３２】
続く、図２は、図１に図示されたスイッチ入力検出装置の各部に得られる信号または電圧状態を示す波形図であって、図示の例では、操作スイッチＳ１１、Ｓ２２、Ｓ３３がそれぞれ操作されたときの状態を示すものである。
【００３３】
図２において、第１段目は制御検出部３から制御スイッチ回路４に供給されるトリガ信号ＴＲであり、第２段目は第１走査信号線ＳＬ１に供給される第１走査信号ＳＣ１であり、第３段目は第２走査信号線ＳＬ２に供給される第２走査信号ＳＣ２であり、第４段目は第３走査信号線ＳＬ３に供給される第３走査信号ＳＣ３であり、第５段目は共通信号出力点Ｏ１に供給されるアナログ出力信号ＴＯ１であり、第６段目（最下段）は制御検出部２におけるアナログ信号検知タイミングである。また、横軸は時間を表す。
【００３４】
ここで、第１の実施の形態に係わるスイッチ入力検出装置の動作を、図１及び図２を用いて説明する。
【００３５】
始めに、制御検出部２は、時間ｔ０乃至ｔ２の期間に第１のトリガ信号ＴＲを発生し、その後の時間ｔ２乃至ｔ３の期間にトリガ信号ＴＲの発生を停止し、時間ｔ３乃至ｔ５の期間に再び第２のトリガ信号ＴＲを発生し、その後の時間ｔ５乃至ｔ６の期間にトリガ信号ＴＲの発生を停止し、時間ｔ６乃至ｔ８の期間に３度第３のトリガ信号ＴＲを発生し、その後の時間ｔ８にトリガ信号ＴＲの発生を停止する。第１乃至第３のトリガ信号ＴＲは、制御スイッチ回路４の制御トランジスタ４Ｔのベースに供給され、第１乃至第３のトリガ信号ＴＲの供給期間だけ制御スイッチ回路４をオンにし、電源端子Ｂ＋の電源電圧を断続的に走査信号発生部２に供給する。走査信号発生部２は、第１回の電源電圧が供給された時間ｔ０乃至ｔ２の期間内に第１走査信号線ＳＬ１に第１走査信号ＳＣ１を出力し、第２回に電源電圧が供給された時間ｔ３乃至ｔ５の期間内に第２走査信号線ＳＬ２に第２走査信号ＳＣ２を出力し、第３回に電源電圧が供給された時間ｔ６乃至ｔ８の期間内に第３走査信号線ＳＬ３に第３走査信号ＳＣ３を出力し、スイッチ検出部１の第１乃至第３走査信号線ＳＬ１乃至ＳＬ３をそれぞれを異なるタイミングの第１乃至第３走査信号ＳＣ１乃至ＳＣ２で走査する。
【００３６】
いま、全部の操作スイッチＳ１１乃至Ｓ１４、Ｓ２１乃至Ｓ２４、Ｓ３１乃至Ｓ３４が操作されず、それらの接点が開いている場合、第１走査信号線ＳＬ１には全ての検出抵抗Ｒ１１乃至Ｒ１４が接続され、それらの総合抵抗値が１５ｒ（最大抵抗値）になり、第２走査信号線ＳＬ２にも全ての検出抵抗Ｒ２１乃至Ｒ２４が接続され、それらの総合抵抗値が１５ｒ（最大抵抗値）になり、第３走査信号線ＳＬ３にも全ての検出抵抗Ｒ３１乃至Ｒ３４が接続され、検出抵抗Ｒ３１乃至Ｒ３４の総合抵抗値が１５ｒ（最大抵抗値）になっているので、第１乃至第３走査信号ＳＣ１乃至ＳＣ３が供給された際に、終端抵抗ＲＴ１、ＲＴ２、ＲＴ３に得られる電圧は最低電圧、例えば第１乃至第３バッファダイオードＤ１乃至Ｄ３のＰＮ接合電圧を僅かに超えた電圧になる。
【００３７】
このため、第１乃至第３走査信号ＳＣ１乃至ＳＣ３が供給されるタイミング時に、共通信号出力点Ｏ１に出力される検出電圧はそれぞれ電圧レベルＬ０（最低レベル）になり、この電圧レベルＬ０が共通出力信号線ＳＯを通してアナログ−デジタル変換部３Ｃに供給される。制御検出部２は、時間ｔ０乃至ｔ２の中間の時間ｔ１のタイミングでアナログ−デジタル変換部３Ｃに入力された電圧レベルＬ０に基づいて、第１走査信号線ＳＬ１の全ての操作スイッチＳ１１乃至Ｓ１４が非操作状態であること、時間ｔ３乃至ｔ５の中間の時間ｔ４のタイミングでアナログ−デジタル変換部３Ｃに入力された電圧レベルＬ０に基づいて、第２走査信号線ＳＬ２の全ての操作スイッチＳ２１乃至Ｓ２４が非操作状態であること、時間ｔ６乃至ｔ８の中間の時間ｔ７のタイミングで、アナログ−デジタル変換部３Ｃに入力された電圧レベルＬ０に基づいて、第３走査信号線ＳＬ３の全ての操作スイッチＳ３１乃至Ｓ３４が非操作状態であることをそれぞれ検出する。
【００３８】
この場合、制御検出部３が、アナログ−デジタル変換部３Ｃに入力された電圧レベルＬ０をそれぞれ、時間ｔ０乃至ｔ２の中間の時間ｔ１のタイミング、時間ｔ３乃至ｔ５の中間の時間ｔ４のタイミング、時間ｔ６乃至ｔ８の中間の時間ｔ７のタイミングで検出している理由は、第１乃至第３走査信号ＳＣ１乃至ＳＣ３が第１乃至第３走査信号線ＳＬ１乃至ＳＬ３に出力された後、第１乃至第３走査信号線ＳＬ１乃至ＳＬ３の電圧の過渡変動状態が解消され、各終端抵抗ＲＴ１乃至ＲＴ３から安定化された状態のアナログ電圧レベルを検出するためである。そして、以下に述べるそれぞれの場合においても、制御検出部３は、アナログ−デジタル変換部３Ｃに入力されたアナログ電圧レベルを、第１乃至第３走査信号ＳＣ１乃至ＳＣ３の供給期間の中間、すなわち時間ｔ１、ｔ４、ｔ７に該当する各タイミングで検出する。
【００３９】
次に、１つの操作スイッチ、例えば操作スイッチＳ１１だけが操作され、操作スイッチＳ１１の接点が閉じている場合、第１走査信号線ＳＬ１には３つの検出抵抗Ｒ１２乃至Ｒ１４が接続され、３つの検出抵抗Ｒ１２乃至Ｒ１４の総合抵抗値が１４ｒ（２番目に大きい抵抗値）になるので、第１走査信号ＳＣ１が供給された際に、終端抵抗ＲＴ１で検出される電圧は、第１バッファダイオードＤ１のＰＮ接合電圧を少し超えた低電圧（２番目に低い電圧）になる。このとき、第２走査信号線ＳＬ２には全ての検出抵抗Ｒ２１乃至Ｒ２４が接続され、検出抵抗Ｒ２１乃至Ｒ２４の総合抵抗値が１５ｒ（最大抵抗値）になり、同様に、第３走査信号線ＳＬ３には全ての検出抵抗Ｒ３１乃至Ｒ３４が接続され、検出抵抗Ｒ３１乃至Ｒ３４の総合抵抗値が１５ｒ（最大抵抗値）になるので、第２乃至第３走査信号ＳＣ２乃至ＳＣ３が供給された際に、終端抵抗ＲＴ２、ＲＴ３における検出電圧は、いずれも第２乃至第３バッファダイオードＤ２乃至Ｄ３のＰＮ接合電圧を僅かに超えた最低電圧になる。
【００４０】
このため、第１走査信号ＳＣ１の供給タイミング時に共通信号出力点Ｏ１に出力される検出電圧は電圧レベルＬ１（２番目に低いレベル）になり、また、第２乃至第３走査信号ＳＣ２乃至ＳＣ３の供給タイミング時に共通信号出力点Ｏ１に出力される検出電圧はそれぞれ最低電圧レベルＬ０になり、これらの電圧レベルＬ１、Ｌ０、Ｌ０が共通出力信号線ＳＯを通してアナログ−デジタル変換部３Ｃに供給される。制御検出部３は、時間ｔ１のタイミングでアナログ−デジタル変換部３Ｃに入力された電圧レベルＬ１に基づいて、第１走査信号線ＳＬ１の操作スイッチＳ１１が操作され、残りの操作スイッチＳ１２乃至Ｓ１４が非操作状態であることを検出し、時間ｔ４、ｔ７のタイミングでアナログ−デジタル変換部３Ｃに入力された電圧レベルＬ０に基づいて、第２走査信号線ＳＬ２の全ての操作スイッチＳ２１乃至Ｓ２４及び第３走査信号線ＳＬ３の全ての操作スイッチＳ３１乃至Ｓ３４が非操作状態であることを検出する。
【００４１】
次いで、他の１つの操作スイッチ、例えば操作スイッチＳ２２だけが操作され、操作スイッチＳ２２の接点が閉じている場合、第２走査信号線ＳＬ２には３つの検出抵抗Ｒ１１、Ｒ１３、Ｒ１４が接続され、３つの検出抵抗Ｒ１１、Ｒ１３、Ｒ１４の総合抵抗値が１３ｒ（３番目に大きい抵抗値）になるので、第２走査信号ＳＣ２が供給された際に、終端抵抗ＲＴ２の検出電圧は、第２バッファダイオードＤ２のＰＮ接合電圧を超えた電圧（３番目に低い電圧）になる。このとき、第１走査信号線ＳＬ１には全ての検出抵抗Ｒ１１乃至Ｒ１４が接続され、検出抵抗Ｒ１１乃至Ｒ１４の総合抵抗値が１５ｒになり、第３走査信号線ＳＬ３には全ての検出抵抗Ｒ３１乃至Ｒ３４が接続され、検出抵抗Ｒ３１乃至Ｒ３４の総合抵抗値が１５ｒになるので、第１及び第３走査信号ＳＣ１、ＳＣ３が供給された際に、終端抵抗ＲＴ１、ＲＴ３の検出電圧は、いずれも第１及び第３バッファダイオードＤ１、Ｄ３のＰＮ接合電圧を僅かに超えた最低電圧になる。
【００４２】
このため、第２走査信号ＳＣ２の供給タイミング時に、共通信号出力点Ｏ１に出力される検出電圧は電圧レベルＬ２（３番目に低いレベル）になり、一方、第１及び第３走査信号ＳＣ１、ＳＣ３の供給タイミング時に、共通信号出力点Ｏ１に出力される検出電圧はそれぞれ最低電圧レベルＬ０になり、これらの電圧レベルＬ０、Ｌ２、Ｌ０が共通出力信号線ＳＯを通してアナログ−デジタル変換部３Ｃに供給される。制御検出部３は、時間ｔ１のタイミングでアナログ−デジタル変換部３Ｃに入力された電圧レベルＬ０に基づいて、第１走査信号線ＳＬ１の全ての操作スイッチＳ１１乃至Ｓ１４が非操作状態であること、時間ｔ４のタイミングでアナログ−デジタル変換部３Ｃに入力された電圧レベルＬ２に基づいて、第２走査信号線ＳＬ２の操作スイッチＳ２２が操作され、残りの操作スイッチＳ２１、Ｓ２３、Ｓ２４が非操作状態であること、時間ｔ７のタイミングでアナログ−デジタル変換部３Ｃに入力された電圧レベルＬ０に基づいて、第３走査信号線ＳＬ３の全ての操作スイッチＳ３１乃至Ｓ３４が非操作状態であることをそれぞれ検出する。
【００４３】
続いて、さらに別の１つの操作スイッチ、例えば操作スイッチＳ３３だけが操作され、操作スイッチＳ３３の接点が閉じている場合も前述の場合と同様であって、第３走査信号ＳＣ３の供給タイミング時に、共通信号出力点Ｏ１に出力される検出電圧は電圧レベルＬ３（５番目に低いレベル）になり、一方、第１及び第２走査信号ＳＣ１及びＳＣ３の供給タイミング時に、共通信号出力点Ｏ１に出力される検出電圧はそれぞれ電圧レベルＬ０になる。そして、制御検出部３は、時間ｔ１、ｔ４のタイミングでアナログ−デジタル変換部３Ｃにそれぞれ入力された電圧レベルＬ０に基づいて、第１走査信号線ＳＬ１の全ての操作スイッチＳ１１乃至Ｓ１４及び第２走査信号線ＳＬ２の全ての操作スイッチＳ２１乃至Ｓ２４が非操作状態であること、時間ｔ７のタイミングでアナログ−デジタル変換部３Ｃに入力された電圧レベルＬ３に基づいて、第３走査信号線ＳＬ３の操作スイッチＳ３３が操作され、残りの操作スイッチＳ３１、Ｓ３２、Ｓ３４が非操作状態であることをそれぞれ検出する。
【００４４】
前述の各例は、１つの操作スイッチだけが操作された場合に、その操作された操作スイッチを検出する場合であるが、第１の実施の形態においては、複数の操作スイッチが同時に操作された場合であっても、同じように操作された操作スイッチをそれぞれ検出することができる。
【００４５】
まず、第１乃至第３走査信号線ＳＬ１乃至ＳＬ３において１つづつ、例えば操作スイッチＳ１１、Ｓ２２、Ｓ３３が操作され、それらの接点が閉じている場合は、第１走査信号ＳＣ１の供給タイミング時に共通信号出力点Ｏ１に出力される検出電圧は電圧レベルＬ１に、第２走査信号ＳＣ２の供給タイミング時に共通信号出力点Ｏ１に出力される検出電圧は電圧レベルＬ２に、第３走査信号ＳＣ３の供給タイミング時に共通信号出力点Ｏ１に出力される検出電圧は電圧レベルＬ３になる。そして、制御検出部３は、時間ｔ１のタイミングでアナログ−デジタル変換部３Ｃに入力された電圧レベルＬ１に基づいて、第１走査信号線ＳＬ１の１つの操作スイッチＳ１１が操作され、残りの操作スイッチＳ１２乃至Ｓ１４が非操作状態であること、時間ｔ４のタイミングでアナログ−デジタル変換部３Ｃに入力された電圧レベルＬ２に基づいて、第２走査信号線ＳＬ２の１つの操作スイッチＳ２２が操作され、残りの操作スイッチＳ２１、Ｓ２３、Ｓ２４が非操作状態であること、時間ｔ７のタイミングでアナログ−デジタル変換部３Ｃに入力された電圧レベルＬ３に基づいて、第３走査信号線ＳＬ３の１つの操作スイッチＳ３３が操作され、残りの操作スイッチＳ３１、Ｓ３２、Ｓ３４が非操作状態であることをそれぞれ検出する。
【００４６】
次に、１本の走査信号線、例えば第１走査信号線ＳＬ１において、複数の操作スイッチ、例えば２つの操作スイッチＳ１１、Ｓ１２が操作され、それらの接点が閉じている場合は、第１走査信号線ＳＬ１に２つの検出抵抗Ｒ１３、Ｒ１４が接続され、検出抵抗Ｒ１３、Ｒ１４の総合抵抗値が１２ｒ（４番目に大きい抵抗値）になり、第１走査信号ＳＣ１が供給された際に、終端抵抗ＲＴ１の検出電圧は、第１バッファダイオードＤ１のＰＮ接合電圧を超えた電圧（４番目に低い電圧）になる。このとき、第２走査信号線ＳＬ２には全ての検出抵抗Ｒ２１乃至Ｒ２４が接続され、検出抵抗Ｒ２１乃至Ｒ２４の総合抵抗値が１５ｒになり、第３走査信号線ＳＬ３には全ての検出抵抗Ｒ３１乃至Ｒ３４が接続され、検出抵抗Ｒ３１乃至Ｒ３４の総合抵抗値が１５ｒになるので、第２及び第３走査信号ＳＣ２及びＳＣ３が供給された際に、終端抵抗ＲＴ２、ＲＴ３の検出電圧は、いずれも第２及び第３バッファダイオードＤ２、Ｄ３のＰＮ接合電圧を僅かに超えた最低電圧になる。
【００４７】
このため、第１走査信号ＳＣ１の供給タイミング時に、共通信号出力点Ｏ１に出力される検出電圧は電圧レベルＬ４（４番目に低いレベル）になり、一方、第２及び第３走査信号ＳＣ２、ＳＣ３の供給タイミング時に、共通信号出力点Ｏ１に出力される検出電圧はそれぞれ電圧レベルＬ０になり、これらの電圧レベルＬ３、Ｌ０、Ｌ０が共通出力信号線ＳＯを通してアナログ−デジタル変換部３Ｃに供給される。制御検出部３は、時間ｔ１のタイミングでアナログ−デジタル変換部３Ｃに入力された電圧レベルＬ４に基づいて、第１走査信号線ＳＬ１の２つの操作スイッチＳ１１、Ｓ１２が操作され、残りの操作スイッチＳ１３、Ｓ１４が非操作状態であること、時間ｔ４のタイミングでアナログ−デジタル変換部３Ｃに入力された電圧レベルＬ０に基づいて、第２走査信号線ＳＬ２の全ての操作スイッチＳ２１乃至Ｓ２４が非操作状態であること、時間ｔ７のタイミングでアナログ−デジタル変換部３Ｃに入力された電圧レベルＬ０に基づいて、第３走査信号線ＳＬ３の全ての操作スイッチＳ３１乃至Ｓ３４が非操作状態であることをそれぞれ検出する。
【００４８】
この他に、第１走査信号線ＳＬ１の他の２個の操作スイッチ、例えば操作スイッチＳ１１、Ｓ１３が操作され、それらの接点が閉じている場合、第１走査信号線ＳＬ１に２つの検出抵抗Ｒ１２、Ｒ１４が接続され、それらの抵抗値が１０ｒになり、また、第１走査信号線ＳＬ１の他の２個の操作スイッチ、例えば操作スイッチＳ１２、Ｓ１３が操作され、それらの接点が閉じている場合、第１走査信号線ＳＬ１に２つの検出抵抗Ｒ１１、Ｒ１４が接続され、それらの抵抗値が９ｒになり、さらに、第１走査信号線ＳＬ１の他の２個の操作スイッチ、例えば操作スイッチＳ１１、Ｓ１４が操作され、それらの接点が閉じている場合、第１走査信号線ＳＬ１に２つの検出抵抗Ｒ１２、Ｒ１３が接続され、それらの抵抗値が６ｒになるというように、４個の操作スイッチＳ１１乃至Ｓ１４の中の２個の操作スイッチが操作された場合に、操作された２個の操作スイッチの組み合わせにより、第１走査信号線ＳＬ１に接続される２つの検出抵抗の総合抵抗値が異なり、その結果、第１走査信号ＳＣ１の供給タイミング時に、共通信号出力点Ｏ１に出力される電圧レベルが異なるようになる。そして、制御検出部３は、アナログ−デジタル変換部３Ｃに入力された電圧レベルの相違に基づいて、操作された２個の操作スイッチと操作されない２つの操作スイッチをそれぞれ検出する。
【００４９】
同じように、第１走査信号線ＳＬ１のいずれか３個の操作スイッチが操作され、それらの接点が閉じている場合や、第１走査信号線ＳＬ１の２個またはそれ以上の操作スイッチが操作され、第２走査信号線ＳＬ２の１個またはそれ以上の操作スイッチが操作され、それらの接点が閉じている場合等においても、制御検出部３は、アナログ−デジタル変換部３Ｃに入力された電圧レベルの相違及びアナログ−デジタル変換部３Ｃに入力された電圧レベルの検出タイミングに基づいて、操作された複数個の操作スイッチと操作されない残りの操作スイッチをそれぞれ検出する。
【００５０】
このように、第１の実施の形態のスイッチ入力検出装置によれば、第１の走査信号線ＳＬ１に操作スイッチＳ１１乃至Ｓ１４と対応する検出抵抗Ｒ１１乃至Ｒ１４との並列接続回路を直列接続し、第２の走査信号線ＳＬ２に操作スイッチＳ２１乃至Ｓ２４と対応する検出抵抗Ｒ２１乃至Ｒ２４との並列接続回路を直列接続し、第３の走査信号線ＳＬ３に操作スイッチＳ３１乃至Ｓ３４と対応する検出抵抗Ｒ３１乃至Ｒ３４との並列接続回路を直列接続することにより、第１乃至第３の走査信号線ＳＬ１乃至ＳＬ３毎に、操作された操作スイッチに基づく検出抵抗の総合抵抗値の変化を電圧レベルに変換し、この電圧レベルを制御検出部３に供給することによって、制御検出部３においては、供給された電圧レベル及びこの電圧レベルの検出タイミングに基づいて、第１乃至第３の走査信号線ＳＬ１乃至ＳＬ３に接続されている各操作スイッチＳ１１乃至Ｓ１４、Ｓ２１乃至Ｓ２４、Ｓ３１乃至Ｓ３４の中の操作された１個またはそれ以上の操作スイッチ及び操作されない残りの操作スイッチをそれぞれ検出することができる。
【００５１】
次に、図３は、本発明によるスイッチ入力検出装置の第２の実施の形態を示すもので、その要部構成を示す回路図である。
【００５２】
図３に示されるように、第２の実施の形態のスイッチ入力検出装置は、第３走査信号線ＳＬ３を基準走査信号線として、１個の基準検出抵抗ＲＳＴと１個の終端抵抗ＲＴ３との直列接続回路によって構成し、基準検出抵抗ＲＳＴの抵抗値を、第１走査信号線ＳＬ１に接続された各検出抵抗Ｒ１１乃至Ｒ１４、及び、第２走査信号線ＳＬ２に接続された各検出抵抗Ｒ２１乃至２４のいずれかの組み合わせによっても得ることができない値、例えば１６ｒになるように選んでいる。すなわち、第２の実施の形態のスイッチ入力検出装置は、第１の実施の形態のスイッチ入力検出装置において、第３走査信号線ＳＬ３に操作スイッチＳ３１乃至Ｓ３４とそれに対応する検出抵抗Ｒ３１乃至Ｒ３４との並列接続回路を直列接続する代わりに、１個の基準検出抵抗ＲＳＴを接続したものである。
【００５３】
そして、第２の実施の形態のスイッチ入力検出装置は、第１の実施の形態のスイッチ入力検出装置と比べ、第３走査信号線ＳＬ３の構成が前述のように異なっているだけで、その他の構成は全く同じである。このため、第２の実施の形態のスイッチ入力検出装置の構成については、これ以上の説明を省略する。
【００５４】
また、第２の実施の形態のスイッチ入力検出装置の動作は、走査信号発生部２から基準走査信号線（第３走査信号線）ＳＬ３に走査信号発生部２から第３走査信号ＳＣ３が供給された際に、基準抵抗ＲＳＴの抵抗値が１６ｒという大きな値に選ばれているために、基準検出抵抗ＲＳＴによる電圧降下が大きく、終端抵抗ＲＴ３の検出電圧は第３バッファダイオードＤ３のＰＮ接合電圧よりも若干小さい電圧になって、共通信号出力点Ｏ１に出力される検出電圧は電圧レベルＬ０よりも低い電圧レベルＬＥになる。制御検出部３は、時間ｔ７のタイミングでアナログ−デジタル変換部３Ｃに入力された電圧レベルＬＥを基準レベルに設定し、時間ｔ１、ｔ４のタイミングでアナログ−デジタル変換部３Ｃに入力された各電圧レベルを設定した基準レベルに対するレベルとして求め、第１走査信号線ＳＬ１の各操作スイッチＳ１１乃至Ｓ１４及び第２走査信号線ＳＬ２の各操作スイッチＳ２１乃至Ｓ２４の操作状態及び非操作状態を検出する。
【００５５】
そして、第２の実施の形態のスイッチ入力検出装置におけるその他の動作は、既に述べた第１の実施の形態のスイッチ入力検出装置で実行される動作と同じである。このため、第２の実施の形態のスイッチ入力検出装置の動作については、これ以上の説明を省略する。
【００５６】
このように、第２の実施の形態のスイッチ入力検出装置によれば、既に述べた第１の実施の形態のスイッチ入力検出装置で得られる効果とほぼ同じ効果を得ることができるとともに、制御検出部３における電圧レベルの検出時に、基準レベルを設定しているので、より正確な電圧レベルの検出を行うことができる。
【００５７】
なお、前記第１及び第２の実施の形態においては、使用する走査信号線の数が第１乃至第３走査信号線ＳＬ１乃至ＳＬ３の３本である例を挙げて説明したが、本発明のスイッチ入力検出装置において使用する走査信号線の数は３本である場合に限られず、２本であってもよく、４本またはそれ以上であってもよい。
【００５８】
また、前記第１及び第２の実施の形態においては、１本の走査信号線に検出抵抗Ｒ１１乃至Ｒ１４、Ｒ２１乃至Ｒ２４、Ｒ３１乃至Ｒ３４とともに接続される操作スイッチＳ１１乃至Ｓ１４、Ｓ２１乃至Ｓ２４、Ｓ３１乃至Ｓ３４の数がそれぞれ４個である例を挙げて説明したが、本発明のスイッチ入力検出装置において１本の走査信号線に接続される操作スイッチの数は４個である場合に限られず、３個またはそれ以下の個数であってもよく、５個またはそれ以上の個数であってもよい。この場合、１本の走査信号線に接続される操作スイッチの数は同数である必要はなく、各走査信号線に接続される操作スイッチの数を異なる個数にしてもよい。
【００５９】
さらに、前記第１及び第２の実施の形態においては、各検出抵抗Ｒ１１乃至Ｒ１４、Ｒ２１乃至Ｒ２４、Ｒ３１乃至Ｒ３４及び基準検出抵抗ＲＳＴの抵抗値として、検出抵抗Ｒ１１、Ｒ２１、Ｒ３１をｒ、検出抵抗Ｒ１２、Ｒ２２、Ｒ３２をそれぞれ２ｒ、検出抵抗Ｒ１３、Ｒ２３、Ｒ３３をそれぞれ４ｒ、検出抵抗Ｒ１４、Ｒ２４、Ｒ３４をそれぞれ８ｒ、基準検出抵抗ＲＳＴを１６ｒにした例を挙げて説明したが、本発明のスイッチ入力検出装置において各検出抵抗Ｒ１１乃至Ｒ１４、Ｒ２１乃至Ｒ２４、Ｒ３１乃至Ｒ３４及び基準検出抵抗ＲＳＴの抵抗値はこのような抵抗値のものに限られるものでなく、第１乃至第３走査信号線ＳＬ１乃至ＳＬ３毎に各検出抵抗Ｒ１１乃至Ｒ１４、Ｒ２１乃至Ｒ２４、Ｒ３１乃至Ｒ３４の抵抗値が異なり、かつ、基準検出抵抗ＲＳＴの抵抗値が各検出抵抗Ｒ１１乃至Ｒ１４、Ｒ２１乃至Ｒ２４、Ｒ３１乃至Ｒ３４の抵抗値の組み合わせによっても得ることができない抵抗値であれば、他の抵抗値を選んでもよい。
【００６０】
この他に、前記第１及び第２の実施の形態においては、走査信号発生部２から出力される各走査信号ＳＣ１乃至ＳＣ３の出力タイミングを制御検出部３で制御するために、制御スイッチ回路４を走査信号発生部２の電源に接続しているが、本発明のスイッチ入力検出装置において制御検出部３と走査信号発生部２とのタイミング合わせのために制御スイッチ回路４を用いたものに限られず、制御検出部３からの制御信号を直接走査信号発生部２に供給する等の他のタイミング合わせ手段を用いてもよい。
【００６１】
【発明の効果】
以上のように、本発明によれば、スイッチ検出部が複数本の走査信号線を備え、複数本の走査信号線のそれぞれが直列接続された複数個の操作スイッチ及び検出抵抗の並列接続回路と１個の終端抵抗とからなり、複数本の走査信号線毎に各並列接続回路の検出抵抗の抵抗値を異ならせるようにしているもので、複数本の走査信号線への走査信号の出力タイミングによって複数本の走査信号線が選択され、その選択時に複数本の信号出力線の終端抵抗に得られたアナログ電圧の大きさを求めることにより、複数本の走査信号線毎に操作された操作スイッチを選択することが可能になり、その結果、全部の操作スイッチの中から操作された１つまたはそれ以上の操作スイッチを検出することができるという効果がある。
【００６２】
また、本発明によれば、スイッチ検出部の共通信号出力点と制御検出部とを１本の共通信号出力線を用いて接続すれば足りるので、スイッチ検出部で用いられる信号線の数を少なくしてスイッチ検出部の構成を簡素化することができ、その上、１本の共通信号出力線にアナログ出力信号を伝送させているので、アナログ出力信号に対するノイズの影響を少なくできるという効果がある。
【図面の簡単な説明】
【図１】本発明によるスイッチ入力検出装置の第１の実施の形態を示すもので、その要部構成を示す回路図である。
【図２】図１に図示されたスイッチ入力検出装置の各部に得られる信号または電圧状態を示す波形図である。
【図３】本発明によるスイッチ入力検出装置の第２の実施の形態を示すもので、その要部構成を示す回路図である。
【図４】既知のキーマトリクス方式のスイッチ入力検出装置の一例を示すもので、その要部構成を示す回路図である。
【図５】既知の抵抗分圧方式のスイッチ入力検出装置の一例を示すもので、その要部構成を示す回路図である。
【符号の説明】
１  スイッチ検出部
２  走査信号発生部
３  制御検出部
３Ｃ  アナログーデジタル変換部（Ａ／Ｄ）
４  制御スイッチ回路
４Ｔ  制御トランジスタ
ＳＬ１  第１走査信号線
ＳＬ２  第２走査信号線
ＳＬ３  第３走査信号線
ＳＯ  共通出力信号線
Ｒ１１〜Ｒ１４、Ｒ２１〜Ｒ２４、Ｒ３１〜Ｒ３４  検出抵抗
ＲＳＴ  基準検出抵抗
Ｓ１１〜Ｓ１４、Ｓ２１〜Ｓ２４、Ｓ３１〜Ｓ３４  操作スイッチ
ＲＴ１〜ＲＴ３  終端抵抗
Ｄ１  第１バッファダイオード
Ｄ２  第２バッファダイオード
Ｄ３  第３バッファダイオード
Ｏ１  共通信号出力点
【図１】
0003756709.tif 000002
【図２】
0003756709.tif 000003
【図３】
0003756709.tif 000004
【図４】
0003756709.tif 000005
【図５】
0003756709.tif 000006